(57)【要約】【課題】使用者の使用習慣に基づいて供給する飲料水の供給条件を調節し、利用者の好みに応じた飲料水を供給する機能を有するウォーターサーバーを実現する。【解決手段】本発明に係るウォーターサーバーは、飲料水を貯留する飲料水タンク、飲料水を利用者に供給する供給口、供給口から利用者に供給される飲料水の温度または供給量の少なくとも１つを調節する供給条件調節装置、および、制御部７、を備え、制御部７は、利用者特定部７１、利用者情報記録部７２、および、供給条件制御部７３Ａ、７３Ｂ、を有し、供給条件制御部７３Ａ、７３Ｂは、利用者特定部が特定した利用者に対応する利用者情報を利用者情報記録部７２から読み取り、当該利用者情報に基づいて定められる飲料水の供給条件に従って供給条件調節装置を制御することを特徴とする。【選択図】図２
2020132244.tif 000002
【特許請求の範囲】
【請求項１】
飲料水を貯留する飲料水タンク、前記飲料水を利用者に供給する供給口、前記供給口から前記利用者に供給される前記飲料水の温度および供給量の少なくとも１つを調節する供給条件調節装置、ならびに、制御部、を備え、
前記制御部は、前記利用者の特定を行う利用者特定部、前記利用者ごとの利用者情報を記録する利用者情報記録部、および、前記供給条件調節装置を制御する供給条件制御部、を有し、
前記供給条件制御部は、前記利用者特定部が特定した利用者に対応する利用者情報を前記利用者情報記録部から読み取り、当該利用者情報に基づいて定められる前記飲料水の供給条件に従って前記供給条件調節装置を制御するウォーターサーバー。
【請求項２】
前記供給条件調節装置は、冷却装置を具備する冷水タンク、および、加熱装置を具備する温水タンク、を有し、
前記冷水タンクは、前記飲料水タンクから前記飲料水を受容し、前記冷却装置によって当該飲料水を冷却して冷水を製造するとともに前記冷水を貯留し、かつ、前記冷水を前記供給口に供給可能であり、
前記温水タンクは、前記飲料水タンクから前記飲料水を受容し、前記加熱装置によって当該飲料水を加熱して温水を製造するとともに前記温水を貯留し、かつ、前記温水を前記供給口に供給可能であり、
前記供給条件制御部は、前記冷水タンクから前記供給口に供給される前記冷水の量、および、前記温水タンクから前記供給口に供給される前記温水の量、を制御することによって前記飲料水の温度を制御する請求項１に記載のウォーターサーバー。
【請求項３】
前記利用者による人為操作の入力を受け付ける入力装置を備え、
前記供給条件制御部は、前記利用者情報に基づいて定められる前記供給条件を、前記入力装置に対する前記人為操作に基づいて変更することができる請求項１または２に記載のウォーターサーバー。
【請求項４】
前記利用者情報記録部は、前記供給条件が前記人為操作に基づいて変更されたときは、当該変更を反映して、すでに記録されている前記利用者情報を変更する請求項３に記載のウォーターサーバー。
【請求項５】
前記利用者の指紋を認識する指紋認識装置を備え、
前記利用者特定部は、前記指紋認識装置が認識した前記指紋に基づいて前記利用者の特定を行う請求項１〜４のいずれか１項に記載のウォーターサーバー。
【請求項６】
前記制御部は、時刻を認識する時刻認識部を有し、
前記利用者情報記録部は、前記時刻認識部が認識した前記時刻に基づいて特定される、前記利用者が前記飲料水の供給を受けた利用時刻についての情報である利用時刻情報を、前記利用者情報として記録する請求項１〜５のいずれか１項に記載のウォーターサーバー。
【請求項７】
前記供給条件制御部は、前記利用時刻情報を前記利用者情報記録部から読み取り、当該利用時刻情報に基づいて、前記利用者が前記飲料水の供給を受けることが予想される供給時間帯の予測を行い、当該供給時間帯の予測に基づいて前記供給条件調節装置を制御する請求項６に記載のウォーターサーバー。
【請求項８】
前記供給条件制御部は、前記利用時刻情報を前記利用者情報記録部から読み取り、当該利用時刻情報に基づいて、前記飲料水を供給する必要がないことが予想される休止時間帯の予測を行い、当該休止時間帯において前記供給条件調節装置の運転を停止する請求項６または７に記載のウォーターサーバー。
【請求項９】
前記制御部はネットワークを通じて少なくとも１つの外部端末装置との間で情報の送受信を行う通信部を有する請求項１〜８のいずれか１項に記載のウォーターサーバー。
【請求項１０】
前記外部端末装置は、前記利用者情報を記録する外部利用者情報記録部を有し、
前記利用者情報記録部は、前記通信部を介して前記外部利用者情報記録部に記録された前記利用者情報を取得し、当該利用者情報を記録する請求項９に記載のウォーターサーバー。
【請求項１１】
前記供給条件調節装置は、前記供給口から供給された前記飲料水の供給量を計測する流量計を有し、
前記制御部は、演算部を有し、
前記演算部は、あらかじめ定められた前記飲料水タンクの満容量と、前記流量計による計測に基づく前記飲料水の供給量の積算値と、に基づいて、前記飲料水タンクの残容量を演算し、
前記制御部は、前記残容量があらかじめ定められた基準値より低くなったときは、前記通信部を介して、前記外部端末装置に対して前記飲料水タンクの交換を行うべき旨を送信する請求項９または１０に記載のウォーターサーバー。
【請求項１２】
前記制御部は、前記飲料水タンクの取り付けられた状態、および、前記飲料水タンクの取り外された状態、を検知する飲料水タンク検知部を有し、
前記演算部は、前記飲料水タンク検知部が前記飲料水タンクの取り外された状態を検知し、その後、前記飲料水タンクが取り付けられたことを検知したときは、前記飲料水の供給量の積算値を０にする請求項１１に記載のウォーターサーバー。
【請求項１３】
利用者に飲料水を供給するウォーターサーバーを制御するプログラムであって、
前記利用者の特定を行う利用者特定機能と、
前記利用者ごとの利用者情報を記録する利用者情報記録機能と、
前記利用者特定機能によって特定された利用者に対応する利用者情報を、前記利用者情報記録機能によって記録された利用者情報群の中から特定する利用者情報照会機能と、
前記利用者情報照会機能によって特定された前記利用者情報に基づいて前記ウォーターサーバーから前記利用者に供給される前記飲料水の供給条件を制御する供給条件制御機能と、をコンピュータに実行させるウォーターサーバー制御プログラム。
【発明の詳細な説明】
【技術分野】
【０００１】
本発明は、利用者の好みに応じた飲料水を供給する機能を有するウォーターサーバー、および、同様の機能を有するウォーターサーバー制御プログラム、に関する。
【背景技術】
【０００２】
ミネラルウォーターなどの飲料水を使用者に供給することができるウォーターサーバーが汎用されている。ウォーターサーバーは、使用者に供給する飲料水を冷却する装置および加熱する装置の少なくとも一方を備え、飲用に適した温度に飲料水を温調する機能を備えることが一般的である。かかるウォーターサーバーとしては、たとえば特許文献１、特許文献２のような技術が知られている。
【先行技術文献】
【特許文献】
【０００３】
【特許文献１】特開２０１７−１１４４９０号公報
【特許文献２】特開２０１５−４００７８号公報
【発明の概要】
【発明が解決しようとする課題】
【０００４】
特許文献１では、使用者の使用習慣を認識し、その使用習慣に基づいて殺菌のための高温水循環運転を自動的に制御するウォーターサーバーが開示されている。しかし、特許文献１の技術においては、装置が認識した使用者の使用習慣に係る情報を装置の保守のために利用するに留まり、使用者に飲料水を供給する際の供給条件に反映させることは、行われていなかった。
【０００５】
そこで、使用者の使用習慣に基づいて使用者に飲料水を供給する際の供給条件を調節し、利用者の好みに応じた飲料水を供給する機能を有するウォーターサーバーの実現が望まれる。
【課題を解決するための手段】
【０００６】
本発明に係るウォーターサーバーは、飲料水を貯留する飲料水タンク、前記飲料水を利用者に供給する供給口、前記供給口から前記利用者に供給される前記飲料水の温度および供給量の少なくとも１つを調節する供給条件調節装置、ならびに、制御部、を備え、前記制御部は、前記利用者の特定を行う利用者特定部、前記利用者ごとの利用者情報を記録する利用者情報記録部、および、前記供給条件調節装置を制御する供給条件制御部、を有し、前記供給条件制御部は、前記利用者特定部が特定した利用者に対応する利用者情報を前記利用者情報記録部から読み取り、当該利用者情報に基づいて定められる前記飲料水の供給条件に従って前記供給条件調節装置を制御することを特徴とする。
【０００７】
また、本発明は、利用者に飲料水を供給するウォーターサーバーを制御するプログラムであって、前記利用者の特定を行う利用者特定機能と、前記利用者ごとの利用者情報を記録する利用者情報記録機能と、前記利用者特定機能によって特定された利用者に対応する利用者情報を、前記利用者情報記録機能によって記録された利用者情報群の中から特定する利用者情報照会機能と、前記利用者情報照会機能によって特定された前記利用者情報に基づいて前記ウォーターサーバーから前記利用者に供給される前記飲料水の供給条件を制御する供給条件制御機能と、をコンピュータに実行させるウォーターサーバー制御プログラムでもある。
【０００８】
これらの構成によれば、利用者ごとの使用習慣や好みを利用者情報として記録するとともに、記録された利用者情報に基づいて供給される飲料水の供給条件を調節することができる。
【０００９】
以下、本発明の好適な態様について説明する。ただし、以下に記載する好適な態様例によって、本発明の範囲が限定されるわけではない。
【００１０】
本発明に係るウォーターサーバーは、一態様として、前記供給条件調節装置は、冷却装置を具備する冷水タンク、および、加熱装置を具備する温水タンク、を有し、前記冷水タンクは、前記飲料水タンクから前記飲料水を受容し、前記冷却装置によって当該飲料水を冷却して冷水を製造するとともに前記冷水を貯留し、かつ、前記冷水を前記供給口に供給可能であり、前記温水タンクは、前記飲料水タンクから前記飲料水を受容し、前記加熱装置によって当該飲料水を加熱して温水を製造するとともに前記温水を貯留し、かつ、前記温水を前記供給口に供給可能であり、前記供給条件制御部は、前記冷水タンクから前記供給口に供給される前記冷水の量、および、前記温水タンクから前記供給口に供給される前記温水の量、を制御することによって前記飲料水の温度を制御することが好ましい。
【００１１】
この構成によれば、冷水と温水を別個に用意し、その混合量を制御することによって供給される飲料水の温度を調節できるため、供給される飲料水を直接に加熱または冷却する場合に比べて、供給される飲料水の温度を速やかに変更することができる。
【００１２】
本発明に係るウォーターサーバーは、一態様として、前記利用者による人為操作の入力を受け付ける入力装置を備え、前記供給条件制御部は、前記利用者情報に基づいて定められる前記供給条件を、前記入力装置に対する前記人為操作に基づいて変更することができることが好ましい。
【００１３】
この構成によれば、供給される飲料水の供給条件を利用者が微調整することができる。
【００１４】
本発明に係るウォーターサーバーは、一態様として、前記利用者情報記録部は、前記供給条件が前記人為操作に基づいて変更されたときは、当該変更を反映して、すでに記録されている前記利用者情報を変更することが好ましい。
【００１５】
この構成によれば、利用者情報記録部に記録される利用者情報を、常に最新の飲料水供給結果に基づいた利用者情報に更新することができる。
【００１６】
本発明に係るウォーターサーバーは、一態様として、前記利用者の指紋を認識する指紋認識装置を備え、前記利用者特定部は、前記指紋認識装置が認識した前記指紋に基づいて前記利用者の特定を行うことが好ましい。
【００１７】
この構成によれば、ウォーターサーバーが複数の利用者により共用される場合に、それぞれの利用者の好みに応じた供給条件の飲料水を提供することができる。
【００１８】
本発明に係るウォーターサーバーは、一態様として、前記制御部は、時刻を認識する時刻認識部を有し、前記利用者情報記録部は、前記時刻認識部が認識した前記時刻に基づいて特定される、前記利用者が前記飲料水の供給を受けた利用時刻についての情報である利用時刻情報を、前記利用者情報として記録することが好ましい。
【００１９】
この構成によれば、時間帯ごとの利用挙動を記録することができる。
【００２０】
本発明に係るウォーターサーバーは、一態様として、前記供給条件制御部は、前記利用時刻情報を前記利用者情報記録部から読み取り、当該利用時刻情報に基づいて、前記利用者が前記飲料水の供給を受けることが予想される供給時間帯の予測を行い、当該供給時間帯の予測に基づいて前記供給条件調節装置を制御することが好ましい。
【００２１】
この構成によれば、予測される供給に先立って飲料水の供給条件を調節できるため、要求される供給条件の飲料水を適時に供給することができる。
【００２２】
本発明に係るウォーターサーバーは、一態様として、前記供給条件制御部は、前記利用時刻情報を前記利用者情報記録部から読み取り、当該利用時刻情報に基づいて、前記飲料水を供給する必要がないことが予想される休止時間帯の予測を行い、当該休止時間帯において前記供給条件調節装置の運転を停止することが好ましい。
【００２３】
この構成によれば、予測に基づいて不要な運転を行わないようにすることで、ウォーターサーバーの消費電力を低減することができる。
【００２４】
本発明に係るウォーターサーバーは、一態様として、前記制御部はネットワークを通じて少なくとも１つの外部端末装置との間で情報の送受信を行う通信部を有することが好ましい。
【００２５】
この構成によれば、飲料水タンクの残容量情報や利用者情報などの種々の情報について外部端末装置と情報交換を行い、これを活用したウォーターサーバーの制御を実現できる。
【００２６】
本発明に係るウォーターサーバーは、一態様として、前記外部端末装置は、前記利用者情報を記録する外部利用者情報記録部を有し、前記利用者情報記録部は、前記通信部を介して前記外部利用者情報記録部に記録された前記利用者情報を取得し、当該利用者情報を記録することが好ましい。
【００２７】
この構成によれば、外部端末装置を介して複数のウォーターサーバー間で利用者情報を共有することができる。そのため利用者は、利用するウォーターサーバーの個体が通常と異なる場合であっても、自身が好む供給条件の飲料水の供給を受けることができる。
【００２８】
本発明に係るウォーターサーバーは、一態様として、前記供給条件調節装置は、前記供給口から供給された前記飲料水の供給量を計測する流量計を有し、前記制御部は、演算部を有し、前記演算部は、あらかじめ定められた前記飲料水タンクの満容量と、前記流量計による計測に基づく前記飲料水の供給量の積算値と、に基づいて、前記飲料水タンクの残容量を演算し、前記制御部は、前記残容量があらかじめ定められた基準値より低くなったときは、前記通信部を介して、前記外部端末装置に対して前記飲料水タンクの交換を行うべき旨を送信することが好ましい。
【００２９】
この構成によれば、特別な人為操作を要することなく、飲料水の補給を適時に受けることができる。
【００３０】
本発明に係るウォーターサーバーは、一態様として、前記制御部は、前記飲料水タンクが取り付けられたこと、および、前記飲料水タンクが取り外されたこと、を検知する飲料水タンク検知部を有し、前記演算部は、前記飲料水タンク検知部が前記飲料水タンクが取り外されたことを検知し、その後、前記飲料水タンクが取り付けられたことを検知したときは、前記飲料水の供給量の積算値を０にすることが好ましい。
【００３１】
この構成によれば、特別な人為操作を要することなく、飲料水の残容量を適切に管理することができる。
【００３２】
本発明のさらなる特徴と利点は、図面を参照して記述する以下の例示的かつ非限定的な実施形態の説明によってより明確になるであろう。
【図面の簡単な説明】
【００３３】
【図１】本発明に係るウォーターサーバーの構成図
【図２】本発明に係るウォーターサーバーの制御系統図
【発明を実施するための形態】
【００３４】
〔ウォーターサーバーの基本構成〕
本発明に係るウォーターサーバーの実施形態について、図１、２を参照して説明する。本実施形態に係るウォーターサーバー１００は、飲料水タンク１と、温度調節装置２（供給条件調節装置の例）と、供給量調節装置３（供給条件調節装置の例）と、供給口４と、タッチパネル５（入力装置の例）と、指紋センサー６（指紋認識装置の例）と、制御部７と、筐体８と、を備える。
【００３５】
飲料水タンク１は、飲料水タンク１内外に飲料水が出入する際の経路となる口部１１と、口部１１に連設され、飲料水を貯留可能な容器本体部１２と、を有する。飲料水タンク１は、たとえば、ポリエチレン、ポリプロピレン、ポリエチレンテレフタレートなどの熱可塑性樹脂を主材料として成形することができる。飲料水タンク１の容量は特に限定されず、一般的に流通している３〜２０Ｌ程度とすることができる。口部１１には逆止弁１１ａが設けられており、飲料水タンク１を、口部１１が下方を向く状態においても、逆止弁１１ａの働きにより飲料水が飲料水タンク１の外部に流出しない。なお、飲料水タンク１の運搬時には口部１１にキャップ（不図示）が取り付けられ、口部１１を上方に向けた状態で運搬されることが一般的である。また、飲料水タンク１は軟性素材でできていて、ダンボールなどでできた箱の中に収容されている形態でもよい。
【００３６】
図１に示すように、ウォーターサーバー１００を使用する状態において、飲料水タンク１は、筐体８に着脱自在に固定されている。筐体８には飲料水タンク１の口部１１と螺合可能なタンク受容部８１が設けられており、タンク受容部８１に口部１１を螺合することで飲料水タンク１を筐体８に固定する。タンク受容部８１には、口部１１とタンク受容部８１とを螺合したときに逆止弁１１ａに貫入する突起物８１ａが設けられており、逆止弁１１ａは突起物８１ａの貫入を受けたときに開放されるように構成されている。したがって、口部１１とタンク受容部８１とが螺合した状態においては、逆止弁１１ａは飲料水の流通を妨げない。また、飲料水タンク１が筐体８に固定された状態において、口部１１が容器本体部１２の下方に位置する配置になるように構成されているので、飲料水タンク１内の飲料水が重力の作用によって筐体８に導入される。なお、タンク受容部８１には飲料水タンク１が取り付けられたこと、および、飲料水タンク１が取り外されたこと、を検知する飲料水タンクセンサー８１ｂ（図示せず）が設けられている。
【００３７】
飲料水タンク１が空のときは、ウォーターサーバー１００は飲料水を供給することができない。この場合は、空の飲料水タンク１をタンク受容部８１から取り外し、替わりに、飲料水が充填された別の飲料水タンク１をタンク受容部８１に取り付けることで、再び飲料水を供給することができるようになる。
【００３８】
温度調節装置２は、冷水タンク２１および温水タンク２２を有する。冷水タンク２１は、冷却装置２１ａ、冷水タンク受容弁２１ｂ、および、冷水供給弁２１ｃ、を具備する。同様に温水タンク２２は、加熱装置２２ａ、温水タンク受容弁２２ｂ、および、温水供給弁２２ｃ、を具備する。
【００３９】
各受容弁２１ｂ、２２ｂは、タンク受容部８１および飲料水供給管８２Ａを介して飲料水タンク１と流体連通し、各受容弁２１ｂ、２２ｂを開放すると、対応する各タンク２１、２２へと飲料水が供給される。冷水タンク２１に供給された飲料水は冷却装置２１ａによって冷却され、冷水として冷水タンク２１に貯留される。同様に、温水タンク２２に供給された飲料水は加熱装置２２ａによって加熱され、温水として温水タンク２２に貯留される。
【００４０】
また、各供給弁２１ｃ、２２ｃは温調水供給管８２Ｂを介して供給量調節装置３と流体連通し、各供給弁２１ｃ、２２ｃを開放すると、対応する各タンク２１、２２から供給量調節装置３へと冷水および温水が供給される。ここで、冷水供給弁２１ｃおよび温水供給弁２２ｃのそれぞれの開度を調節することで、供給量調節装置３へ供給される冷水と温水との比率が調節される。これによって、供給量調節装置３へ供給される飲料水（冷水と温水との混合物である。）の温度が調節される。なお、各部における飲料水の温度を計測するため、冷水タンク２１に冷水温度センサー２３Ａが、温水タンク２２に温水温度センサー２３Ｂが、飲料水供給管８２Ａに供給温度センサー２３Ｃが、それぞれ設けられている。
【００４１】
供給量調節装置３は、流量計３１および自動弁３２を有する。流量計３１の上流側は温調水供給管８２Ｂを介して冷水供給弁２１ｃおよび温水供給弁２２ｃと流体連通し、温度調節装置２から温度が調節された飲料水の供給を受ける。一方、流量計３１の下流側は、自動弁３２および供給口連絡管８２Ｃを介して供給口４と流体連通しており、自動弁３２を開放すると供給口４に飲料水が供給される。このとき流量計３１は、供給される飲料水の供給量を計測する。
【００４２】
タッチパネル５は、ウォーターサーバー１００に対する利用者からの各種の人為操作の入力を受け付ける入力装置として機能する。ここで人為操作とは、利用者がタッチパネル５上に表示された各種の操作具に触れることによって、飲料水の供給の開始および停止、供給される飲料水の温度の設定、ならびに、供給される飲料水の供給量の設定、などの指示を入力することを言う。また、タッチパネル５は、入力装置として機能するのと同時に、利用者に対して各種の情報を提示する出力装置としても機能する。なお、指紋センサー６は、公知の指紋読取装置である。タッチパネル５および指紋センサー６は、入力された人為操作または指紋に関する情報を、制御部７に送信する。
【００４３】
〔ウォーターサーバーの制御〕
制御部７は、図２に示すように、利用者の特定を行う利用者特定部７１、利用者ごとの利用者情報を記録する利用者情報記録部７２、温度調節装置２の制御を行う供給温度制御部７３Ａ（供給条件制御部の例）および供給量調節装置３の制御を行う供給量制御部７３Ｂ（供給条件制御部の例）、飲料水タンク１に関する情報の管理を行う飲料水タンク管理部７４、タッチパネル５に対する人為操作の入力を認識する入力認識部７５、指紋センサー６に入力された指紋を認識する指紋認識部７６、時刻を認識する時刻認識部７７、ネットワーク経由で情報の送受信を行うことができる通信部７８、ならびに、各種演算を行うことができる演算部７９を有する。以下では、利用者がウォーターサーバー１００から飲料水の供給を受けようとしてから、実際に飲料水の供給を受けるまでの一連の流れに沿って、制御部７による制御について説明する。
【００４４】
〔飲料水の供給の基本動作〕
飲料水の供給を受けようとする利用者が指紋センサー６に触れると、指紋認識部７６が当該利用者の指紋を認識し、指紋情報を生成する。利用者特定部７１は指紋認識部７６から指紋情報を受け取り、これを利用者情報記録部７２に記録されている登録済指紋情報と照合する。ここで登録済指紋情報は、それぞれの指紋に対応する登録済の利用者についての利用者ごとの利用者情報と関連付けられている。利用者特定部７１は、指紋認識部７６から受け取った指紋情報と一致する登録済指紋情報を特定すると、飲料水の供給を受けようとしている利用者（以下、現利用者とする。）が、当該登録済指紋情報に関連付けられた登録済利用者であると特定する。
【００４５】
利用者情報記録部７２が記録する利用者情報は、利用者が好む飲料水の温度（供給条件の例）および供給量（供給条件の例）に関する情報を含む。これらの情報は、たとえば、利用者本人からの人為操作によって利用者が好む飲料水の温度および供給量が入力されたものであってもよいし、利用者の過去のウォーターサーバー１００の利用実績に基づいて記録されたものであってもよい。
【００４６】
供給温度制御部７３Ａは、利用者特定部７１が特定した現利用者に対応する利用者情報（以下、現利用者情報とする。）を利用者情報記録部７２から読み取り、現利用者情報に含まれる現利用者が好む飲料水の温度についての情報を認識する。また供給温度制御部７３Ａは、冷水温度センサー２３Ａ、温水温度センサー２３Ｂ、および、供給温度センサー２３Ｃによって、各部における飲料水の温度を計測する。そして、現利用者が好む飲料水の温度および各部における飲料水の温度に基づいて、供給口４から供給される飲料水の温度が、現利用者が好む飲料水の温度になるように、冷水供給弁２１ｃおよび温水供給弁２２ｃの開度を調節する。
【００４７】
供給量制御部７３Ｂは、現利用者情報を利用者情報記録部７２から読み取り、現利用者情報に含まれる現利用者が好む飲料水の供給量についての情報を認識する。また供給量制御部７３Ｂは、流量計３１によって、供給される飲料水の供給量を計測する。そして、供給口４から供給される飲料水の量が、現利用者が好む飲料水の供給量になるように、自動弁３２の開閉を制御する。このように制御された結果、自動弁３２が開放状態にある間にわたって供給口４から飲料水が吐出されるので、利用者はこれをグラスなどの容器に受けることで、飲料水の供給を受けることができる。
【００４８】
なおこのとき現利用者は、供給される飲料水の温度および供給量を任意に設定することができる。利用者特定部７１は、現利用者を特定すると、現利用者情報に含まれる現利用者名、ならびに、現利用者情報に基づいて決定した供給予定温度および供給予定量を、タッチパネル５に表示する。現利用者は、タッチパネル５に対する人為操作の入力により供給予定温度および供給予定量を任意に設定することができる。入力認識部７５は当該入力を認識し、変更された供給予定温度および供給予定量をそれぞれ供給温度制御部７３Ａおよび供給量制御部７３Ｂに受け渡し、これらの設定を反映した温度および供給量の飲料水が供給される。
【００４９】
このとき、設定された供給予定温度および供給予定量に基づいて、利用者情報記録部７２に記録された現利用者情報が変更される。このように構成することで、利用者情報記録部７２に記録される利用者情報を、常に最新の飲料水供給結果に基づいた利用者情報に更新することができる。そのため、たとえば、利用者の好みが変化した場合や、季節変化により利用者の要望が変わった場合などに応じて、飲料水の温度および供給量を自動的に変更することができる。
【００５０】
〔飲料水の残量管理〕
飲料水タンク管理部７４は、飲料水タンクセンサー８１ｂによって、飲料水タンク１が取り付けられたこと、および、飲料水タンク１が取り外されたこと、を検知する飲料水タンク検知部７４ａと、飲料水タンク１の残容量を管理する飲料水タンク容量管理部７４ｂと、を具備する。
【００５１】
前述のごとくウォーターサーバー１００を操作して利用者に対して飲料水の供給を行うと、飲料水タンク１内に貯留された飲料水が消費される。このとき、演算部７９は、供給量制御部７３Ｂが流量計３１によって計測した飲料水の供給量に基づいて、取り付けられている飲料水タンク１から利用者に供給された飲料水の積算値（以下、供給済飲料水量とする。）を演算し、その値を飲料水タンク容量管理部７４ｂに記録する。さらに演算部７９は、飲料水タンク容量管理部７４ｂに記録された飲料水タンク１の満容量の値から供給済飲料水量の値を差し引くことで飲料水タンク１の残容量を演算し、その値を飲料水タンク容量管理部７４ｂに記録する。
【００５２】
飲料水タンク容量管理部７４ｂは、上記のように演算された残容量があらかじめ定められた基準値より低くなったときは、通信部７８を介して、飲料水タンク１の供給元が管理する外部端末装置Ｓに対して、飲料水タンク１の交換を行うべき旨を送信する。かかる送信を受けた当該供給元は、ウォーターサーバー１００の設置場所に新しい飲料水タンク１を配送する。このように構成することで、特別な人為操作を要することなく、飲料水タンク１の補給を適時に受けることができる。
【００５３】
新たな飲料水タンク１の配送を受けたときは、残容量が少なくなった飲料水タンク１をタンク受容部８１から取り外し、当該新たな飲料水タンク１をタンク受容部８１に取り付ける。飲料水タンク１をタンク受容部８１から取り外すと、飲料水タンク検知部７４ａは飲料水タンク１が取り外されたことを検知する。その後新たな飲料水タンク１をタンク受容部８１に取り付けると、飲料水タンク検知部７４ａは再び飲料水タンク１が取り付けられたことを検知する。飲料水タンク容量管理部７４ｂは、飲料水タンク検知部７４ａによる、飲料水タンク１が取り外されたことの検知と、その後に続く、飲料水タンク１が取り付けられたことの検知と、があったときは、飲料水タンク１の交換が行われたものと認識する。このとき、飲料水タンク容量管理部７４ｂに記録されている供給済飲料水量の値が０に変更される。すなわちこのとき、飲料水タンク１の満容量の値から供給済飲料水量の値を差し引いて演算される飲料水タンク１の残容量の値が、飲料水タンク１の満容量にリセットされることになる。
【００５４】
〔時刻に連動した制御〕
ウォーターサーバー１００は、時刻認識部７７による時刻の認識に基づいた制御を行う機能を有する。以下では、生活習慣の異なる２人の利用者Ｐ、Ｑが、同一のウォーターサーバー１００を日常的に利用する場合を例として説明する。利用者Ｐは午前６時頃に５℃の飲料水を２００ｍＬ飲む習慣があるものとする。また利用者Ｑは、午前７時頃に９０℃の飲料水を１５０ｍＬ飲み、さらに、午前７時３０分頃に９０℃の飲料水５００ｍＬを水筒に入れる習慣があるものとする。その後、利用者Ｐ、Ｑはいずれも午後７時以降までウォーターサーバー１００を利用しない場合が多いものとする。
【００５５】
利用者情報記録部７２は、時刻認識部７７による認識に基づき、飲料水の供給が行われた時刻の実績を利用者情報の一部として記録する。上記の例では、利用者Ｐに関連付けられた利用者情報ＩＰには、「午前６時頃に５℃の飲料水を２００ｍＬ供給する頻度が高い」という利用者Ｐの生活習慣に対応した情報が含まれる。同様に、利用者Ｑに関連付けられた利用者情報ＩＱには、「午前７時頃に９０℃の飲料水を１５０ｍＬ供給する頻度が高い」という情報と、「午前７時３０分頃に９０℃の飲料水を５００ｍＬ供給する頻度が高い」という情報が含まれる。さらに、利用者情報ＩＰ、ＩＱの双方に、「午前７時３０分頃から午後７時頃の間は飲料水を供給する頻度が低い」という情報が含まれる。なお、「頻度が高い」および「頻度が低い」の区別は、一定期間（たとえば１週間）あたりの該当回数に基づいて判断してもよいし、利用者自身の入力に基づいて判断してもよい。
【００５６】
供給温度制御部７３Ａは、利用者情報ＩＰに基づき、午前６時頃（供給時間帯の例）に５℃の飲料水を２００ｍＬ供給する可能性が高いことを予測する。そして、午前６時頃に先立って、５℃かつ２００ｍＬの飲料水を供給するために必要な量以上の冷水が冷水タンク２１に貯留されている状態になるように、冷却装置２１ａおよび冷水タンク受容弁２１ｂを制御する。また、供給温度制御部７３Ａは、利用者情報ＩＱに基づき、午前７時頃（供給時間帯の例）に９０℃の飲料水を１５０ｍＬ供給し、さらに、午前７時３０分頃に９０℃の飲料水を５００ｍＬ供給する可能性が高いことを予測する。そして、午前７時頃に先立って、９０℃かつ６５０ｍＬの飲料水を供給するために必要な量以上の温水が温水タンク２２に貯留されている状態になるように、加熱装置２２ａおよび温水タンク受容弁２２ｂを制御する。このように構成することで、利用者Ｐ、Ｑの好みに応じた飲料水を適時に供給することができる。
【００５７】
さらに、供給温度制御部７３Ａは、利用者情報ＩＰ、ＩＱに基づき、午前７時３０分頃から午後７時頃の間（休止時間帯の例）は飲料水を供給する可能性が低いことを予測する。この予測に基づいて、午前７時３０分頃から午後７時頃の間を休止時間帯に設定し、休止時間帯の間は冷却装置２１ａおよび加熱装置２２ａの運転を停止する。冷却装置２１ａおよび加熱装置２２ａは消費電力が大きいため、上記のように構成して不要な運転を行わないようにすることで、ウォーターサーバー１００の消費電力を低減することができる。
【００５８】
〔その他の実施形態〕
最後に、本発明のその他の実施形態について説明する。なお、以下のそれぞれの実施形態で開示される構成は、矛盾が生じない限り、他の実施形態で開示される構成と組み合わせて適用することも可能である。
【００５９】
上記の実施形態では、利用者を特定する機能、利用者ごとの利用者情報を記録する機能、および、利用者情報に基づいて供給される飲料水の温度および供給量を制御する機能、を備えたウォーターサーバー１００を例として説明した。しかし、そのような構成に限定されることなく、本発明は、利用者特定機能、利用者情報記録機能、利用者情報照会機能、および、供給条件制御機能、をコンピュータに実行させるウォーターサーバー制御プログラムであってもよい。このようなプログラムを用いると、上記の各機能を有さない既設のウォーターサーバーに対して、上記の各機能を追加的に付与することができる。
【００６０】
上記の実施形態では、供給条件調節装置として、温度調節装置２および供給量調節装置３を備え、利用者に供給される飲料水の温度および供給量を調節できる構成を例として説明した。しかし、そのような構成に限定されることなく、本発明に係るウォーターサーバーは、利用者に供給される飲料水の温度のみを調節できるように構成してもよいし、利用者に供給される飲料水の供給量のみを調節できるように構成してもよい。
【００６１】
上記の実施形態では、通信部７８を用いた機能として、飲料水タンク１の供給元が管理する外部端末装置Ｓに対して飲料水タンク１の交換を行うべき旨を送信する機能を備えたウォーターサーバー１００を例として説明した。しかし、そのような構成に限定されることなく、たとえば、ウォーターサーバーの利用者情報記録部（本体側利用者情報記録部）が、通信部を介して利用者情報を記録する外部利用者記録部を有する外部端末装置と通信できるように構成し、本体側利用者情報記録部と外部利用者記録部との間で利用者情報を授受できるようにしてもよい。
【００６２】
上記の実施形態では、指紋センサー６および指紋認識部７６を備え、利用者の指紋を認証する方法により利用者を特定する構成を例として説明した。しかし、利用者を特定する方法は指紋認証に限定されず、たとえば、他の生体認証（顔認証、声紋認証、静脈認証など）であってもよく、ユーザー名とパスワードによる認証、非接触ＩＣカードによる認証、など非生体的な方法であってもよい。
【００６３】
上記の実施形態では、入力装置としてタッチパネル５を備える構成を例として説明した。しかし、入力装置はタッチパネルに限定されず公知の装置を用いることができ、たとえば、マウス、キーボードなどの機械的な入力装置であってよく、音声入力装置であってよい。
【００６４】
上記の実施形態では、タッチパネル５と指紋センサー６とが別個に設けられている構成を例として説明した。しかし、そのような構成に限定されることなく、入力装置と指紋認識装置とは一体化して設けられていてもよい。たとえば、飲料水の温度または供給量を調節する機能が割り当てられたスイッチ（入力装置の例）に指紋センサー（指紋認識装置）が一体化されていると、利用者が飲料水の温度または供給量を調節する人為操作を行うのと同時に利用者の特定がなされるため、利用者の利便性が向上する。
【００６５】
上記の実施形態では、飲料水タンク１の残容量があらかじめ定められた基準値より低くなったときに、飲料水タンク１の供給元が管理する外部端末に対して飲料水タンク１の交換を行うべき旨を送信する構成を例として説明した。しかし、そのような構成に限定されることなく、飲料水タンクの交換を行うべき旨を送信する相手先は、たとえば、利用者自身であってもよく、利用者が指定する第三者であってもよい。また、必ずしもウォーターサーバーの外部に送信しなくてもよく、たとえば、ウォーターサーバーに設けられた表示部または利用者が所有する端末に飲料水タンクの交換を行うべき旨を表示するように構成してもよい。
【００６６】
上記の実施形態では、供給される飲料水の温度および供給量を調節する構成を例として説明した。しかし、そのような構成に限定されず、たとえば、温度または供給量の一方のみを調節するように構成してもよい。また、調節する供給条件は温度および供給量に限定されず、たとえば、香り、炭酸ガス圧、ミネラル含有量、糖、アミノ酸含有量、ビタミン含有量などを調節するように構成してもよい。このような場合は、調節する供給条件に応じた適切な添加物（香料、食品由来の各種エキス、炭酸ガス、など）を貯留および添加することができる機械的構成を備えてもよい。
【００６７】
その他の構成に関しても、本明細書において開示された実施形態は全ての点で例示であって、本発明の範囲はそれらによって限定されることはないと理解されるべきである。当業者であれば、本発明の趣旨を逸脱しない範囲で、適宜改変が可能であることを容易に理解できるであろう。したがって、本発明の趣旨を逸脱しない範囲で改変された別の実施形態も、当然、本発明の範囲に含まれる。
【産業上の利用可能性】
【００６８】
本発明は、たとえば利用者に応じて好みの飲料水を提供することができるウォーターサーバーに利用することができる。
【符号の説明】
【００６９】
１００  ：ウォーターサーバー
１      ：飲料水タンク
１１    ：口部
１１ａ  ：逆止弁
１２    ：容器本体部
２      ：温度調節装置
２１    ：冷水タンク
２１ａ  ：冷却装置
２１ｂ  ：冷水タンク受容弁
２１ｃ  ：冷水供給弁
２２    ：温水タンク
２２ａ  ：加熱装置
２２ｂ  ：温水タンク受容弁
２２ｃ  ：温水供給弁
２３Ａ  ：冷水温度センサー
２３Ｂ  ：温水温度センサー
２３Ｃ  ：供給温度センサー
３      ：供給量調節装置
３１    ：流量計
３２    ：自動弁
４      ：供給口
５      ：タッチパネル
６      ：指紋センサー
７      ：制御部
７１    ：利用者特定部
７２    ：利用者情報記録部
７３Ａ  ：供給温度制御部
７３Ｂ  ：供給量制御部
７４    ：飲料水タンク管理部
７４ａ  ：飲料水タンク検知部
７４ｂ  ：飲料水タンク容量管理部
７５    ：入力認識部
７６    ：指紋認識部
７７    ：時刻認識部
７８    ：通信部
７９    ：演算部
８      ：筐体
８１    ：タンク受容部
８１ａ  ：突起物
８１ｂ  ：飲料水タンクセンサー
８２Ａ  ：飲料水供給管
８２Ｂ  ：温調水供給管
８２Ｃ  ：供給口連絡管
Ｓ      ：外部端末装置
【図１】
2020132244.tif 000003
【図２】
2020132244.tif 000004